(57)【要約】【課題】材料費を安価に抑えることができ、設計の自由度が高く、かつ厚さを薄くすることのできるＬＥＤ発光装置を提供する。【解決手段】基体３と、前記基体３に搭載された複数のＬＥＤ光源２ａ，２ｂと、前記基体３に対して傾斜して配設された大きさの異なる複数の円、楕円、または多角形状の環状の反射薄帯４と、を具備してなり、前記複数の反射薄帯４は、前記基体３上において互いに同軸上に配置され、前記の各反射薄帯４は、前記基体３と対向する側から見たときに、前記反射薄帯４の前記基体３と接する起点の周縁と、前記反射薄帯４の先端の周縁とによって囲まれる範囲が、所定の幅を有する円、楕円または多角形状の環状に形成され、各反射薄帯４の前記起点の周縁の外側にそれぞれ、前記ＬＥＤ光源２ａ，２ｂが配置されていることを特徴とするＬＥＤ発光装置１を提供する。【選択図】図１
2010277826.tif 000002
【特許請求の範囲】
【請求項１】
基体と、
前記基体の一面上に同心状に配置され、円環状または非円環状に形成された複数の反射薄帯と、
前記基体の一面上であって、前記反射薄帯の外周側に配置された複数のＬＥＤ光源とを具備してなり、
前記反射薄帯の内周面及び外周面の両方が反射面とされ、前記反射薄帯の各反射面が前記基体の一面に対して傾斜するように前記反射薄帯が前記基体上に立設されていることを特徴とするＬＥＤ発光装置。
【請求項２】
前記ＬＥＤ光源が、内周側の前記反射薄帯と外周側の前記反射薄帯との間に配置されていることを特徴とする請求項１に記載のＬＥＤ発光装置。
【請求項３】
最外周の前記反射薄帯の外周側にＬＥＤ光源が配置されていることを特徴とする請求項１又は請求項２に記載のＬＥＤ発光装置。
【請求項４】
前記反射薄帯の前記基体の一面に対する傾斜角度が、反射薄帯の全周に渡って均一であることを特徴とする請求項１ないし請求項３のいずれか１項に記載のＬＥＤ発光装置。
【請求項５】
前記反射薄帯の前記基体の一面に対する傾斜角度が、２０°以上７０°以下の範囲であることを特徴とする請求項１ないし請求項４のいずれか１項に記載のＬＥＤ発光装置。
【請求項６】
前記の各反射薄帯の前記基体の一面に対する傾斜角度が、同一であることを特徴とする請求項１ないし請求項５のいずれか１項に記載のＬＥＤ発光装置。
【請求項７】
前記の各反射薄帯の前記基体の一面に対する傾斜角度が、外周側ほど小さいことを特徴とする請求項１ないし請求項５のいずれか１項に記載のＬＥＤ発光装置。
【請求項８】
前記反射薄帯が、四角形の環状であることを特徴とする請求項１ないし請求項７のいずれか１項に記載のＬＥＤ発光装置。
【請求項９】
前記反射薄帯の前記反射面が、全反射面又は拡散反射面であることを特徴とする請求項１ないし請求項８のいずれか１項に記載のＬＥＤ発光装置。
【請求項１０】
請求項１ないし請求項９のいずれか１項に記載のＬＥＤ発光装置を用いたことを特徴とする照明器具。
【発明の詳細な説明】
【技術分野】
【０００１】
本発明は、ＬＥＤ発光装置及び照明器具に関する。
【背景技術】
【０００２】
一般に、液晶パネル等のディスプレイパネルの照明用発光装置として、ＬＥＤ（発光ダイオード）を用いたＬＥＤ発光装置が知られている。このようなＬＥＤ発光装置には、赤、緑、青の単色光を発光する３種類のＬＥＤ光源を備え、各ＬＥＤ光源から発せられる単色光をミキシングしたり、ＬＥＤ光源の表面に蛍光体を設けたりすることによって、白色光を発するものがある。
近年、この白色光を発するＬＥＤ発光装置を、照明用器具等、用途を広げて用いるための研究開発が進んでいる。
【０００３】
このようなＬＥＤ発光装置としては、ディスプレイパネル用として研究開発されてきた経緯から、ＬＥＤからの光を導光板の端面に入射させるエッジライト方式や、ＬＥＤを拡散板の直下に配置し、拡散板によってＬＥＤからの光を拡散させる直下方式等が知られている。
【先行技術文献】
【特許文献】
【０００４】
【特許文献１】特開２００６−２６９３６５号公報
【特許文献２】特開２００６−２２１９２２号公報
【特許文献３】特開２００６−２２１９２３号公報
【特許文献４】特開２００６−２８６６３９号公報
【発明の概要】
【発明が解決しようとする課題】
【０００５】
しかしながら、エッジライト方式は、ＬＥＤ光源の他に、ＬＥＤ光源を一端部に設けたバー導光体と、バー導光体の側端面から出射した光を内部に導入して、平面視略矩形の出射面全面から出射させる平面視略矩形の導光板を用いるので、材料費が嵩むという問題があった。また、ＬＥＤ光源によって生じる熱を放熱しにくいという問題もあった。更に、平面視した際に、導光板が矩形に形成されているので、装置全体の形状が矩形に限定され、設計の自由度が低く、照明用には適さないという問題があった。
【０００６】
また、直下方式は、拡散板をＬＥＤ光源から一定の距離離間して配置しなければならなかったので、厚さを薄くすることができないという問題があった。
【０００７】
本発明は、このような事情に鑑みてなされたものであって、その目的は、材料費を安価に抑えることができ、放熱に優れ、設計の自由度が高く、かつ厚さを薄くすることのできるＬＥＤ発光装置を提供することである。
【課題を解決するための手段】
【０００８】
上記の目的を達成するために、本発明は、以下の手段を提供している。
（１）基体と、前記基体の一面上に同心状に配置され、円環状または非円環状に形成された複数の反射薄帯と、前記基体の一面上であって、前記反射薄帯の外周側に配置された複数のＬＥＤ光源とを具備してなり、前記反射薄帯の内周面及び外周面の両方が反射面とされ、前記反射薄帯の各反射面が前記基体の一面に対して傾斜するように前記反射薄帯が前記基体上に立設されていることを特徴とするＬＥＤ発光装置。
（２）前記ＬＥＤ光源が、内周側の前記反射薄帯と外周側の前記反射薄帯との間に配置されていることを特徴とする（１）に記載のＬＥＤ発光装置。
（３）最外周の前記反射薄帯の外周側にＬＥＤ光源が配置されていることを特徴とする（１）又は（２）に記載のＬＥＤ発光装置。
（４）前記反射薄帯の前記基体の一面に対する傾斜角度が、反射薄帯の全周に渡って均一であることを特徴とする（１）ないし（３）のいずれか１項に記載のＬＥＤ発光装置。
（５）前記反射薄帯の前記基体の一面に対する傾斜角度が、２０°以上７０°以下の範囲であることを特徴とする（１）ないし（４）のいずれか１項に記載のＬＥＤ発光装置。
（６）前記の各反射薄帯の前記基体の一面に対する傾斜角度が、同一であることを特徴とする（１）ないし（５）のいずれか１項に記載のＬＥＤ発光装置。
（７）前記の各反射薄帯の前記基体の一面に対する傾斜角度が、外周側ほど小さいことを特徴とする（１）ないし（５）のいずれか１項に記載のＬＥＤ発光装置。
（８）前記反射薄帯が、四角形の環状であることを特徴とする（１）ないし（７）のいずれか１項に記載のＬＥＤ発光装置。
（９）前記反射薄帯の前記反射面が、全反射面又は拡散反射面であることを特徴とする（１）ないし（８）のいずれか１項に記載のＬＥＤ発光装置。
（１０）（１）ないし（９）のいずれか１項に記載のＬＥＤ発光装置を用いたことを特徴とする照明器具。
【発明の効果】
【０００９】
本発明のＬＥＤ発光装置は、導光板を用いていないので、材料費を安価に抑えることができる。また、ＬＥＤ光源によって生じる熱の放熱を妨げるものがなく、放熱が容易である。また、ＬＥＤ光源からの光が反射薄帯の反射面に反射することで拡散するので、拡散板を配置する必要がなくなり、装置全体の薄型化及び軽量化を図ることができる。
【００１０】
また、本発明では、反射薄帯は、同心状に１つ又は複数配設され、内周側の反射薄帯と外周側の反射薄帯との間にＬＥＤ光源が配設されている。これにより、ＬＥＤ光源から射出される光が、内側の反射薄帯と外側の反射薄帯の両方と反射することとなり、より拡散することが可能となる。
【００１１】
また、本発明では、最外周に配置された反射薄帯の外周側にＬＥＤ光源を設けたことにより、基体と平行な方向を照射することが可能となり、広い照射角度を得ることができる。
【図面の簡単な説明】
【００１２】
【図１】図１は、本発明の第１の実施形態であるＬＥＤ発光装置の一例を示す平面図である。
【図２】図２は、図１のＡ−Ａ’間断面図である。
【図３】図３は、本発明の第１の実施形態であるＬＥＤ発光装置の一例を示す平面図である。
【図４】図４は、本発明の第１の実施形態であるＬＥＤ発光装置の一例を示す断面図である。
【図５】図５は、本発明の第２の実施形態であるＬＥＤ発光装置の一例を示す断面図である。
【図６】図６は、本発明に用いられるＬＥＤ光源の例示の断面図である。
【発明を実施するための形態】
【００１３】
以下、本発明の実施形態であるＬＥＤ発光装置について、例示の図面を参照して詳細に説明する。
［第１の実施形態］
図１及び図２に示すように、本実施形態のＬＥＤ発光装置１は、一面３ａに複数のＬＥＤ光源２が搭載された基体３と、基体３の一面３ａに対して傾斜して立設された反射薄帯４とから概略構成されている。
【００１４】
基体３は、ＬＥＤ光源２を発光可能に搭載できる基板であれば、どのような素材・構造のものであってもよく、例えばフレキシブル基板を用いることができる。
また、基体３は、どのような形状、大きさのものであってもよいが、本実施形態では、平面視略円板状で、直径が約３０〜４０ｃｍのものを用いる。
【００１５】
反射薄帯４は、遮光タイプのものでも、一部光を透過させるものであってもよく、本実施形態では、内周面（凹面１３）及び外周面（凸面１２）がともに全反射面であるものを用いる。但し、内周面とは光源２からの光をＬＥＤ発光装置１の内側に向けて反射する面を指し、外周面とは光源２からの光をＬＥＤ発光装置１の外側に向けて反射する面を指す。凹面１３は、ＬＥＤ発光装置１における凹形状面を示す反射薄帯４の面を指し、凸面１２は、逆に凸形状面を示す反射薄帯４の面を指す。
また、反射薄帯４は、大きさの異なるものが２つ、同心状に配置されるように設けられている。具体的には、径の大きい反射薄帯４ｂの内側に径の小さい反射薄帯４ａが配設される関係となっている。
また、反射薄帯４の高さｔは、１０ｍｍ程度に形成されている。
【００１６】
また、反射薄帯４は、基体３に対して傾斜して配設されているところ、具体的には、内側の反射薄帯４ａおよび外側の反射薄帯４ｂは、いずれも円環状に構成されており、基体３と接する起点５ａ，５ｂから立上るにつれて、先端６ａ，６ｂの周縁が拡径するように構成されている。すなわち、基体３と対向する側から見たときに、反射薄帯４ａの基体３と接する起点５ａの周縁と、反射薄帯４ａの先端６ａの周縁とによって囲まれる範囲が、所定の厚さｌを有して、リング状（円環状）に形成されている。反射薄帯４ｂも同様に、起点５ｂの周縁と、先端６ｂの周縁とによって囲まれる範囲が、所定の厚さｍを有して、リング状に形成されている。
なお、基体３の一面３ａに対する反射薄帯４ａ，４ｂの傾斜角度αは、０°超９０°未満の範囲で等しくなるように構成されている。更に、傾斜角度αは、２０°以上７０°以下の範囲であることがより好ましい。また、反射薄帯４ａ，４ｂは、いずれも全周に渡って基体３の一面３ａに対する傾斜角度αが均一である。
【００１７】
ＬＥＤ光源２は、基体３に搭載して発光可能であればよく、従来知られているものであれば、どのようなものでも用いることができる。また、基体３に対して主に垂直な方向に出光するものでも、基体３に対して主に平行な方向に出光するものであっても構わない。
【００１８】
具体的には、図６（ａ）ないし図６（ｄ）に示すように、発光素子７が透明な樹脂８によって封止されているものを用いることができる。
図６（ａ）に示すＬＥＤ光源２ａは、基体３上に発光素子７が直接実装され、更に発光素子７を覆う封止樹脂８が基体３上に形成されて構成されている。発光素子７は、基体３上の図示略の配線に対してワイヤ７ａによって結線されている。
図６（ｂ）に示すＬＥＤ光源２ｂは、基体３上に設置されたパッケージ成形体１９と、パッケージ成形体１９の凹部に配置された発光素子７と、凹部に充填されて発光素子７を覆う封止樹脂８とから構成されている。封止樹脂８には、公知な蛍光体を混入していてもよい。発光素子７は、パッケージ成形体１９の図示略の配線に対してワイヤ７ａによって結線されている。
【００１９】
基体３に対して主に垂直な方向に出光する場合は、図６（ａ）又は図６（ｂ）に示すＬＥＤ光源２を直接基体３上に搭載すればよい。
また、基体３に対して主に平行な方向に出光する場合は、図６（ｃ）又は図６（ｄ）に示すように、基体３上にガラスエポキシ基板等の適宜の基板９を垂直に配設し、ガラスエポキシ基板９の一面９ａ上に上記のＬＥＤ光源２ａまたは２ｂを搭載する。この場合は、ガラスエポキシ基板９の他面９ｂと基体３とを半田１０等で電気的に接続し、ガラスエポキシ基板９のスルーホール１１を通じて、基体３とＬＥＤ光源２との電気的導通を図る。
【００２０】
また、ＬＥＤ光源２は、図２に示すように、内側の反射薄帯４ａと外側の反射薄帯４ｂとの間に約５０個搭載されており、外側の反射薄帯４ｂの外側に約１００個搭載されている。このように、ＬＥＤ光源２は、各反射薄帯４ａ，４ｂの各起点の周縁５ａ，５ｂの外側にそれぞれ配置されている。
【００２１】
反射薄帯４ａの外周側で，反射薄帯４ｂの内周側（内周側の反射薄帯４ａと外周側の反射薄帯４ｂとの間）に配置されたＬＥＤ光源２ａは、基体３に対して垂直な方向に出光するものを用いても、平行な方向に出光するものを用いても構わない。但し、平行な方向に出光させる場合は、反射薄帯４ｂに向けて出光させる。反射薄帯４ａに向けて出光させると、反射した光が基体３側に向かうため、基体３の外方に光が出光しなくなるからである。
垂直な方向に出光した場合は、図２の矢印Ｂで示すように、反射薄帯４ａの凸面１２に反射した後に、反射薄帯４ｂの凹面１３で反射して出光する。
また、平行な方向に出光した場合は、矢印Ｃで示すように、反射薄帯４ｂの凹面１３に反射した後に、反射薄帯４ａの凸面１２と反射して出光する。
【００２２】
外周側の反射薄帯４ｂの外周側に配置されたＬＥＤ光源２ｂは、基体３に対して垂直な方向に出光するものを用いても、平行な方向に出光するものを用いても構わないが、光を拡散させる観点から、垂直な方向に出光させるものを用いるのが好ましい。なお、平行な方向に出光させる場合は、反射薄帯４ｂ側の反対側に向けて出光させる。反射薄帯４ｂに向けて出光させると、反射した光が基体３側に向かうため、基体３の外方に光が出光しなくなるからである。
主に垂直な方向に出光する場合は、矢印Ｄで示すように、反射薄帯４ｂの凸面１４に反射して基体３の外方に出光する。また、主に平行な方向に出光する場合は、矢印Ｅで示すように、直接、基体３の外方に出光する。
【００２３】
なお、ＬＥＤ光源２として、赤、緑、青の単色光を発光する３種類のものを用いた場合は、搭載するそれぞれの色の個数は、所望するＬＥＤ発光装置１の光の色合いによって適宜決めればよい。また、所望する光の色合いに適合した蛍光体をＬＥＤ光源２の表面に設けてもよい。
【００２４】
本実施形態のＬＥＤ発光装置１は、導光板を用いていないので、材料費を安価に抑えることができる。また、ＬＥＤ光源２によって生じる熱の放熱を妨げるものがなく、放熱が容易である。また、ＬＥＤ光源２からの光が反射薄帯４に反射することで拡散するので、拡散板を配置する必要がなくなり、装置全体の薄型化及び軽量化を図ることができる。
【００２５】
また、反射薄帯４は、同心状に２つ設けられており、径の大きい反射薄帯４ｂの内側に径の小さい反射薄帯４ａが配設されている。これにより各反射薄帯４ａ，４ｂ間に配置されているＬＥＤ光源２ａからの光が、内側の反射薄帯４ａと外側の反射薄帯４ｂの両方と反射することとなり、より拡散されることとなる。すなわち、ＬＥＤ光源２ａから出光した光は、反射薄帯４ａの凸面１２（または反射薄帯４ｂの凹面１３）に反射することで拡散する。そして、拡散した光は、更に反射薄帯４ｂの凹面１３（反射薄帯４ａの凸面１２）と反射し、更に拡散する。このように、ＬＥＤ発光装置１から出光する光は、拡散していることから、広い照射角度が求められる照明光として好適である。
【００２６】
また、反射薄帯が環状に形成されていることから、ＬＥＤ発光装置１から出光する光は、偏りなく射出されることとなり、広い照射範囲が求められる照明光として好適である。
すなわち、ＬＥＤ発光装置１から出光する光は、反射薄帯４ａ，４ｂによって射出方向が制限されるところ、仮に反射薄帯が環状に形成されていない場合には、基体３と対向する側から見たときに、一定の方向（反射薄帯の開口方向）にのみしか射出されないこととなるが、反射薄帯４ａ，４ｂは、環状に形成されているため、全周方向に射出することができる。
【００２７】
また、最外周の反射薄帯４ｂの外周側にＬＥＤ光源２ｂを設けたことにより、基体３と平行な方向を照射することが可能となり、広い照射角度を得ることができる。
【００２８】
なお、本実施形態では、反射薄帯４の形状を円環状としたが、楕円または多角形の環状等の非円環状に形成しても構わない。例えば、図３に示すように四角形の環状に形成することもできる。また、反射薄帯４の反射面を拡散反射面として形成しても構わない。
【００２９】
また、本実施形態では、基体３に対する反射薄帯４ａ，４ｂの傾斜角度αを等しい大きさにして構成したが、異なる大きさにしてもよく、外周側ほど小さく形成しても構わない。例えば、図４に示すように基体３の一面３ａに対する外側の反射薄帯４ｂの傾斜角度βを内側の反射薄帯４ａの傾斜角度αより小さくすることもできる。この場合は、ＬＥＤ光源２ｂから出光する光が、より基体３と平行な方向に射出されることとなり、ＬＥＤ発光装置１を天井に接地する照明装置として用いた場合、より天井面を明るく照らすことができる。
このように、基体３に対する反射薄帯４ａ，４ｂの傾斜角度を自由に設定することで、所望の方向を照射する照明装置を得ることができる。
【００３０】
［第２の実施形態］
図５は、本発明の第２の実施形態であるＬＥＤ発光装置２１の一例を示す断面図である。
本実施形態のＬＥＤ発光装置２１は、反射薄帯の形状を変更した第１の実施形態の変形例であり、同様な部分については説明を省略する。
【００３１】
図５に示すように、本実施形態では、反射薄帯２２は、大きさの異なったものが、基体３に３つ配設されている。反射薄帯２２ａ，２２ｂ，２２ｃは、同心上に配置されており、径の大きい反射薄帯の内側に径の小さい反射薄帯が配設される関係となっている。
【００３２】
反射薄帯２２は、基体３の一面３ａに対して傾斜して配設されているところ、具体的には、反射薄帯２２ａは円錐状に、反射薄帯２２ｂ，２２ｃは、いずれも円環状に構成されており、基体３と接する起点２３ａ，２３ｂ，２３ｃから立上るにつれて、その先端２４ａ，２４ｂ，２４ｃの周縁が縮径するように構成されている。
すなわち、基体３と対向する側から見たときに、反射薄帯２２ｂの基体３と接する起点２３ｂの周縁と、反射薄帯２２ｂの先端２４ｂの周縁とによって囲まれる範囲が、所定の幅を有して、リング状に形成されている。反射薄帯２２ｃについても同様に、起点２３ｃの周縁と先端２４ｃの周縁とによって囲まれる範囲が、リング状に形成されている。
なお、最も小さい反射薄帯２２ａは、縮径した結果、先端２４ａ部分が頂点を形成しており、反射薄帯２２ａは、全体として円錐状になっている。
【００３３】
ＬＥＤ光源２は、基体３の一面３ａ上の各反射薄帯間に配置されている。具体的には、径の最も小さい反射薄帯２２ａとそのすぐ外側の反射薄帯２２ｂとの間に、ＬＥＤ光源２ｃが約５０個、反射薄帯２２ｂと径の最も大きい反射薄帯２２ｃとの間に、ＬＥＤ光源２ｄが約１００個配置されている。
なお、本実施形態では、径の最も大きい反射薄帯２２ｃの外周側には、ＬＥＤ光源２は配置しない。
【００３４】
各ＬＥＤ光源２は、基体３に対して垂直な方向に出光するものを用いても、平行な方向に出光するものを用いても構わない。但し、平行な方向に出光させる場合は、内側の反射薄帯に向けて出光させる。外側の反射薄帯に向けて出光させると、反射した光が基体３側に向かうため、基体３の外方に光が出光しなくなるからである。
垂直な方向に出光した場合は、図５の矢印Ｆで示すように、外側の反射薄帯の凹面２５に反射した後に内側の反射薄帯の凸面２６で反射して外方へ出光する。
また、平行な方向に出光した場合は、矢印Ｇで示すように、内側の反射薄帯の凸面２６に反射した後に外側の反射薄帯の凹面２５に反射して外方へ出光する。
【００３５】
本実施形態のＬＥＤ発光装置２１も、第１の実施形態と同様に導光板を用いていないので、材料費を安価に抑えることができる。また、ＬＥＤ光源２からの光が反射薄帯２２に反射することで拡散するので、拡散板を配置する必要がなくなり、装置全体の薄型化及び軽量化を図ることができる。
【００３６】
また、反射薄帯２２は、３つ同心状に設けられており、径の大きい反射薄帯の内側に径の小さい反射薄帯が配設されている。これにより各反射薄帯２２ａ，２２ｂ，２２ｃ間に配置されたＬＥＤ光源２からの光が、内側の反射薄帯と外側の反射薄帯の両方と反射することとなり、より拡散されることとなる。すなわち、ＬＥＤ光源２から出光した光は、外側の反射薄帯の凹面２５（または内側の反射薄帯の凸面２６）に反射することで拡散する。そして、拡散した光は、更に内側の反射薄帯の凸面２６（外側の反射薄帯の凹面２５）と反射し、更に拡散する。このように、ＬＥＤ発光装置２１から出光する光は、拡散していることから、広い照射角度が求められる照明光として好適である。
【００３７】
また、反射薄帯が環状に形成されていることから、ＬＥＤ発光装置１から出光する光は、偏りなく射出されることとなり、広い照射範囲が求められる照明光として好適である。
【００３８】
なお、本実施形態でも、反射薄帯２２の形状を、楕円または多角形の環状等の非円環状に形成しても構わない。
また、本実施形態では、基体３の一面３ａに対する反射薄帯２２の傾斜角を等しい大きさにして構成したが、異なる大きさにしても構わない。
【００３９】
以上、本発明者によってなされた発明を実施形態に基づき説明したが、本発明は、上記実施形態に限定されるものではなく、その要旨を逸脱しない範囲で種々変更可能であることは言うまでもない。
例えば、上記実施形態では、反射薄帯の数を２つ又は３つ用いた場合について説明したが、これらの数に限定されることなく、１つであっても４つ以上であっても構わない。
【００４０】
また、本発明のＬＥＤ発光装置を用いて照明装置としてもよい。その場合は、基体を壁面に設置することで、厚さの薄い照明装置として有効利用できる。
【産業上の利用可能性】
【００４１】
本発明は、ＬＥＤ発光装置を製造する製造業において幅広く利用することができる。
【符号の説明】
【００４２】
１，２１・・・ＬＥＤ発光装置、２，２ａ，２ｂ，２ｃ，２ｄ・・・ＬＥＤ光源、３・・・基体、３ａ・・・基体の一面、４，４ａ，４ｂ，２２，２２ａ，２２ｂ，２２ｃ・・・反射薄帯、５ａ，５ｂ，２３ａ，２３ｂ，２３ｃ・・・反射薄帯の起点、６ａ，６ｂ，２４ａ，２４ｂ，２４ｃ・・・反射薄帯の先端、７・・・発光素子、７ａ・・・ワイヤ、８・・・樹脂、９・・・ガラスエポキシ基板、１０・・・半田、１１・・・スルーホールホール、１２，２６・・・反射薄帯の凸面、１３，２５・・・反射薄帯の凹面、１９・・・パッケージ成形体
【図１】
2010277826.tif 000003
【図２】
2010277826.tif 000004
【図３】
2010277826.tif 000005
【図４】
2010277826.tif 000006
【図５】
2010277826.tif 000007
【図６】
2010277826.tif 000008